(57)【要約】【課題】絶縁シートを固定する絶縁シート固定具を提供する。【解決手段】バスバー２０には、筐体に対向する面を覆い隠すように絶縁紙１２が添えられている。固定クリップ１０はバスバー２０の上下に設けられ、各固定クリップ１０は絶縁紙１２に覆われたバスバー２０を弾性的に挟み込んでいる。このように、固定クリップ１０の機械的拘束力によりバスバー２０の上下において絶縁紙１２が固定される。【選択図】図３
2005229682.tif 000002
【特許請求の範囲】
【請求項１】
細長い板状の配線部材および絶縁シートを重ねて固定する絶縁シート固定具において、
基部およびその基部の両側に一体的に設けられた二つの挟持片を有し、
配線部材および絶縁シートを前記二つの挟持片によって弾性的に挟み込んで固定する、
ことを特徴とする絶縁シート固定具。
【請求項２】
細長い板状の配線部材および絶縁シートを重ねて固定する絶縁シート固定具において、
基部およびその基部の両側に一体的に設けられた二つの挟持片を有し、
絶縁シートが重ねられた配線部材の対向する二辺を前記二つの挟持片によって弾性的に挟み込んで、配線部材および絶縁シートを挟持する、
ことを特徴とする絶縁シート固定具。
【請求項３】
細長い板状の配線部材および絶縁シートを重ねて固定する絶縁シート固定具において、
円盤状の上部キャップおよび底部キャップの間に円柱状のシャフト部が設けられ、
前記上部キャップおよび底部キャップは、前記シャフト部よりも円周方向外側に広がって形成され、
前記底部キャップは弾力性を有し、この底部キャップが絶縁シートを貫いて配線部材に設けられた貫通穴に挿入されて貫通穴を通り抜けた後に元の形状に戻り、前記上部キャップおよび底部キャップにより配線部材および絶縁シートを挟持する、
ことを特徴とする絶縁シート固定具。
【請求項４】
請求項１から３のいずれか１項に記載の絶縁シート固定具を利用した絶縁シートの固定方法において、
前記絶縁シート固定具を少なくとも一つ利用して、配線部材の長手方向の少なくとも一箇所で絶縁シートを固定する、
ことを特徴とする絶縁シートの固定方法。
【発明の詳細な説明】
【技術分野】
【０００１】
本発明は、配線部材および絶縁シートを重ねて固定する絶縁シート固定具に関する。
【背景技術】
【０００２】
電気を伝送する配線部材としてバスバーが知られている。バスバーは、モータの駆動装置などに利用される。バスバーは金属で形成され、モータの駆動電流などを伝送する。このため、バスバーは、駆動装置内における他の導電部分との電気的接触を避ける必要がある。バスバーを他の導電部分と絶縁するために、絶縁板を利用する技術が知られている（特許文献１参照）。つまり、絶縁板を挿入することでバスバーと他の導電部分との間の絶縁を保っている。
【０００３】
【特許文献１】特開２００１−３１３１１０号公報
【発明の開示】
【発明が解決しようとする課題】
【０００４】
バスバーを他の導電部分と絶縁するために、絶縁紙を利用する技術も知られている。絶縁紙は、両面テープなどを利用してバスバーに巻きつけられるのが一般的である。ところが、バスバーには比較的大きな電流が流れるため、バスバーが発熱して両面テープの粘着力が低下する危険性や、絶縁紙が巻きつけられるためバスバーの冷却性が低下する恐れもある。このため、バスバーに絶縁紙を固定する新たな手法が望まれていた。
【０００５】
本発明は、このような背景においてなされたものであり、その目的は、絶縁シートを固定する絶縁シート固定具を提供することにある。
【課題を解決するための手段】
【０００６】
上記目的を達成するために、本発明の好適な態様である絶縁シート固定具は、細長い板状の配線部材および絶縁シートを重ねて固定する絶縁シート固定具において、基部およびその基部の両側に一体的に設けられた二つの挟持片を有し、配線部材および絶縁シートを前記二つの挟持片によって弾性的に挟み込んで固定する、ことを特徴とする。
【０００７】
また上記目的を達成するために、本発明の好適な態様である絶縁シート固定具は、細長い板状の配線部材および絶縁シートを重ねて固定する絶縁シート固定具において、基部およびその基部の両側に一体的に設けられた二つの挟持片を有し、絶縁シートが重ねられた配線部材の対向する二辺を前記二つの挟持片によって弾性的に挟み込んで、配線部材および絶縁シートを挟持する、ことを特徴とする。
【０００８】
また上記目的を達成するために、本発明の好適な態様である絶縁シート固定具は、細長い板状の配線部材および絶縁シートを重ねて固定する絶縁シート固定具において、円盤状の上部キャップおよび底部キャップの間に円柱状のシャフト部が設けられ、前記上部キャップおよび底部キャップは、前記シャフト部よりも円周方向外側に広がって形成され、前記底部キャップは弾力性を有し、この底部キャップが絶縁シートを貫いて配線部材に設けられた貫通穴に挿入されて貫通穴を通り抜けた後に元の形状に戻り、前記上部キャップおよび底部キャップにより配線部材および絶縁シートを挟持する、ことを特徴とする。
【０００９】
また上記目的を達成するために、本発明の好適な態様である絶縁シートの固定方法は、前記絶縁シート固定具を少なくとも一つ利用して、配線部材の長手方向の少なくとも一箇所で絶縁シートを固定する、ことを特徴とする。
【発明の効果】
【００１０】
本発明の絶縁シート固定具によれば、両面テープを利用する必要がないため発熱による粘着力の低下がない。また、絶縁シートを配線部材に巻きつける必要がないため絶縁が不要な面を露出させておくことで放熱性を向上させることができる。さらに、両面テープを利用して巻きつける手法に比べて固定作業が極めて容易になる。
【発明を実施するための最良の形態】
【００１１】
以下、本発明の好適な実施形態を図面に基づいて説明する。
【００１２】
図１は、本発明に係る絶縁シート固定具の好適な実施形態を説明するための図であり、図１には、車両用モータの駆動装置内の一部が示されている。駆動装置は筐体１６に覆われており、筐体１６内部に図示しないインバータなどを有している。インバータへの電力の供給あるいはインバータからの駆動電流の出力は、バスバー２０を介して行われる。
【００１３】
バスバー２０は、細長い板状の金属で形成され、例えば、インバータの三相交流出力の各相に対応した端子（Ｕ端子、Ｖ端子およびＷ端子）に接続される。各端子に一端が接続されたバスバー２０はその他端が出力コネクタに接続され、出力コネクタから伝送ケーブルを経由して筐体１６の外部に配置されるモータへ接続される。バスバー２０は金属で形成され、モータの駆動電流などを伝送する。このため、バスバー２０は、駆動装置内における他の導電部分との電気的接触を避ける必要がある。例えば、筐体１６は、アルミなどの導電体で形成される。このため、バスバー２０と筐体１６が近接する部分では、バスバー２０と筐体１６との間の電気的接触を避けるため、バスバー２０に絶縁紙１２が取り付けられる。この絶縁紙１２の取り付けに固定クリップ１０が利用される。
【００１４】
図２は、固定クリップを説明するための図であり、図２には、固定クリップ１０の斜視図が示されている。固定クリップ１０は、基部３０と、その基部３０の両側に一体的に設けられた二つの挟持片３２とから構成される。二つの挟持片３２は、その先端側に向かうほど間隔が狭くなっている。そして、二つの挟持片３２の間に挿入される挟持対象物が、二つの挟持片３２によって弾性的に挟み込まれて固定される。
【００１５】
図３は、図２の固定クリップ１０による絶縁紙の固定方法を説明するための図であり、図１の固定クリップ１０の位置における断面が示されている。バスバー２０には、筐体に対向する面を覆い隠すように絶縁紙１２が添えられている。固定クリップ１０はバスバー２０の上下両辺にそれぞれ設けられ、各固定クリップ１０は絶縁紙１２に覆われたバスバー２０を弾性的に挟み込んでいる。このように、固定クリップ１０の機械的拘束力によりバスバー２０の上下において絶縁紙１２が固定される。
【００１６】
なお、車両走行中の振動などにより、固定クリップ１０がずれ落ちないようにするため、バスバー２０に、クリップ止め２２を形成してもよい。つまり、クリップ止め２２として溝を形成し、固定クリップ１０がバスバー２０と絶縁紙１２を挟み込む際、固定クリップ１０の先端部分が嵌まり込むようにクリップ止め２２を形成する。固定クリップ１０がクリップ止め２２に嵌まり込み、固定クリップ１０の脱落が防止される。
【００１７】
固定クリップ１０は、例えば、樹脂などの絶縁材料で構成されることが好ましいが、金属などの導電材料で構成されてもよい。金属などで固定クリップ１０が構成される場合には、固定クリップ１０とバスバー２０が直接接触しないように、これらの間に確実に絶縁紙１２が挟まるように配置される。
【００１８】
図４は、上下一体型の固定クリップによる絶縁紙の固定方法を説明するための図であり、図１の固定クリップ１０の位置における断面が示されている。バスバー２０には、筐体に対向する面を覆い隠すように絶縁紙１２が添えられている。図４の固定クリップ１０はバスバー２０の上下両辺を挟み込むように形成された一体型のものである。つまり、固定クリップ１０は絶縁紙１２に覆われたバスバー２０をその上辺と下辺から挟み込んで絶縁紙１２を固定している。一体型の固定クリップ１０は、バスバー２０の上辺から吊るされるように絶縁紙１２を挟み込んでいるため、車両走行中の振動による脱落の防止に好適である。
【００１９】
図５は、ビスタイプの絶縁シート固定具（ビス固定具）を説明するための図であり、図５には、ビス固定具１０ｂの斜視図が示されている。ビス固定具１０ｂは、上部キャップ４０、底部キャップ４２およびシャフト部４４を有しており、円盤状の上部キャップ４０と底部キャップ４２の間に円柱状のシャフト部４４が延びている。上部キャップ４０および底部キャップ４２は、シャフト部４４よりも円周方向外側に広がっている。底部キャップ４２は弾力性を有しており、挟持対象物に設けられる貫通穴に挿入される。貫通穴は、シャフト部４４の外周と同程度の大きさに形成される。そして、挿入された底部キャップ４２は貫通穴を抜けた後、再び元の大きさに戻る。
【００２０】
図６は、ビス固定具による絶縁紙の固定方法を説明するための図である。図３および図４の場合と同様に、バスバー２０には、筐体に対向する面を覆い隠すように絶縁紙１２が添えられている。図６のビス固定具１０ｂはバスバー２０の所定位置に設けられた貫通穴に挿入され、貫通穴を通り抜けた底部キャップが再び元の大きさに戻ることにより、上部キャップおよび底部キャップが絶縁紙１２およびバスバー２０を挟持している。ビス固定具１０ｂは貫通穴に間単に挿入できるため、絶縁紙１２の固定作業が極めて容易になる。
【００２１】
以上、本発明の好適な実施形態を説明したが、上述した実施形態は、あらゆる点で単なる例示にすぎず、本発明の範囲を限定するものではない。
【図面の簡単な説明】
【００２２】
【図１】本発明に係る絶縁シート固定具の実施形態を説明するための図である。
【図２】固定クリップを説明するための図である。
【図３】固定クリップによる絶縁紙の固定方法を説明するための図である。
【図４】上下一体型の固定クリップによる絶縁紙の固定方法を説明するための図である。
【図５】ビス固定具を説明するための図である。
【図６】ビス固定具による絶縁紙の固定方法を説明するための図である。
【符号の説明】
【００２３】
１０  固定クリップ、１２  絶縁紙、１６  筐体、２０  バスバー。
【図１】
2005229682.tif 000003
【図２】
2005229682.tif 000004
【図３】
2005229682.tif 000005
【図４】
2005229682.tif 000006
【図５】
2005229682.tif 000007
【図６】
2005229682.tif 000008